(57)【要約】【課題】通話中に暗号通信の鍵を変更する場合、暗号変更のタイミングがずれ、音声データの暗号化と復号が正しく行われない場合にノイズが発生する、という課題がある。【解決手段】共通鍵を用いて暗号通信を行う制御局と従属局で構成された無線通信装置は、従属局との通話状態の通信品質を監視し、通信品質が予めきめられ状態より劣化していた場合、共通鍵を変更する予め決められた手順を起動しないように動作する制御部を有する。【選択図】図６
2015198375.tif 000002
【特許請求の範囲】
【請求項１】
共通鍵を用いて暗号通信を行う制御局と従属局で構成され、予め決められた手順で通話状態で共通鍵を変更する無線通信装置であって、前記制御局は、前記従属局との通話状態の通信品質を監視し、通信品質が予めきめられ状態より劣化していた場合、共通鍵を変更する予め決められた手順を起動しないように動作する制御部を有する、無線通信装置。
【請求項２】
共通鍵を用いて暗号通信を行う制御局と従属局で構成される無線通信装置の前記制御局の制御方法であって、
予め決められた手順で通話状態で前記共通鍵を変更するステップと、
前記従属局との通話状態の通信品質を監視するステップと、
前記通信品質が予めきめられ状態より劣化していた場合、前記共通鍵を変更する予め決められた手順を起動しないようにするステップと、
を有する、無線通信装置の制御局の制御方法。
【請求項３】
制御局と従属局で構成される無線通信装置であって、
前記制御局は、前記従属局との間で暗号鍵を用いた通信を行う無線通信部と、
所定の時間経過後に所定の通信品質に基づいて前記暗号鍵を変更するか否かを判断する制御部と、
を備える無線通信装置。
【請求項４】
前記制御部は、前記暗号鍵を変更すると判断した場合には前記暗号鍵とは異なる暗号鍵に変更する手順を実行することを特徴とする請求項３に記載の無線通信装置。
【請求項５】
前記制御部は、前記暗号鍵を変更しないと判断した場合には再度所定の時間経過後に前記判断を行うことを特徴とする請求項４に記載の無線通信装置。
【請求項６】
前記所定の通信品質は、直近の受信レベルを含み、
前記制御部は、前記直近の受信レベルが所定のレベル閾値を超えているか否かを判断することを特徴とする請求項３〜５のいずれか１項に記載の無線通信装置。
【請求項７】
前記所定の通信品質は、さらに受信エラーの発生頻度を含み、
前記制御部は、さらに前記受信エラーの発生頻度が所定の頻度閾値より低いか否かを判断することを特徴とする請求項６に記載の無線通信装置。
【請求項８】
制御局と従属局で構成される無線通信装置であって、
前記制御局は、前記従属局との間で暗号鍵を用いた無線通信を行う無線通信部と、
前記暗号鍵を前記暗号鍵とは異なる暗号鍵に変更する手順を実行する制御部と
前記暗号鍵を変更する手順を実行するタイミングを与えるタイマー部と、
前記従属局からの受信レベルを計測する受信レベル計測部と、
前記従属局からの受信エラーをカウントする受信エラーカウント部と、
を備え、
前記制御部は、前記暗号鍵を用いた無線通信を行うときに起動した前記タイマー部が満了すると、前記受信レベル計測部が測定した直近の受信レベルが所定のレベル閾値を超えていて、かつ、前記受信エラーカウント部がカウントした受信エラーの発生頻度が所定の頻度閾値より低い場合に、前記暗号鍵を変更する手順を実行することを特徴とする無線通信装置。
【請求項９】
制御局と従属局で構成される無線通信装置の制御局の制御方法であって、
前記制御局と前記従属局との間で暗号鍵を用いた通信を行う無線通信ステップと、
所定の時間経過後に所定の通信品質に基づいて前記暗号鍵を変更するか否かを判断するステップと、
を備える無線通信装置の制御局の制御方法。
【発明の詳細な説明】
【技術分野】
【０００１】
本発明は、コードレス電話等に利用可能な無線通信装置、無線通信装置の制御局の制御方法に関する。
【背景技術】
【０００２】
セキュリティ性能の向上のためにコードレス電話等に使用される無線通信では、通信路を確立するためのネゴシエーションのための制御データや通話中の音声データの送受信を暗号化して通信を行う技術が利用されている。コードレス電話等の無線通信では、暗号化と復号に同じ鍵を使用する共通鍵暗号方式が多く採用されている。コードレス電話のように一般の人が使用する無線通信装置では、利便性の向上のために、共通鍵暗号方式で使用される鍵を、無線通信を用いて自動で生成し、親子機相互のＥＥＰＲＯＭ等の不揮発性メモリに記憶し、暗号通信に使用する。例えば、非特許文献１、非特許文献２、非特許文献３、非特許文献４、非特許文献５には、デジタルコードレス電話の通信方式として広く世界に普及しているＤＥＣＴ（Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ）方式の無線通信で用いる暗号化の仕様が規定されている。又、非特許文献５には、ＤＥＣＴ方式で通信を行う親機と子機を用いてコードレス電話等の音声通信を行う場合の手順等が規定されおり、親子機間の無線リンク確立後、直ちに暗号通信を起動するＥａｒｌｙ  ｅｎｃｒｙｐｔｉｏｎの方法、適当な間隔で暗号通信の鍵を変えながら暗号通信を継続するＲｅ−ｋｅｙｉｎｇ  ｄｕｒｉｎｇ  ａ  ｃａｌｌの方法が規定されている。
【先行技術文献】
【非特許文献】
【０００３】
【非特許文献１】ＥＴＳＩ  ＥＮ  ３００  １７５−２：  「Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ  （ＤＥＣＴ）；  Ｃｏｍｍｏｎ  Ｉｎｔｅｒｆａｃｅ  （ＣＩ）；  Ｐａｒｔ  ２：  Ｐｈｙｓｉｃａｌ  Ｌａｙｅｒ  （ＰＨＬ）」
【非特許文献２】ＥＴＳＩ  ＥＮ  ３００  １７５−３：  「Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ  （ＤＥＣＴ）；  Ｃｏｍｍｏｎ  Ｉｎｔｅｒｆａｃｅ  （ＣＩ）；  Ｐａｒｔ  ３：  Ｍｅｄｉｕｍ  Ａｃｃｅｓｓ  Ｃｏｎｔｒｏｌ  （ＭＡＣ）  ｌａｙｅｒ」
【非特許文献３】ＥＴＳＩ  ＥＮ  ３００  １７５−５：  「Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ  （ＤＥＣＴ）；  Ｃｏｍｍｏｎ  Ｉｎｔｅｒｆａｃｅ  （ＣＩ）；  Ｐａｒｔ  ５：  Ｎｅｔｗｏｒｋ  （ＮＷＫ）  ｌａｙｅｒ」
【非特許文献４】ＥＴＳＩ  ＥＮ  ３００  １７５−７：  「Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ  （ＤＥＣＴ）；Ｃｏｍｍｏｎ  Ｉｎｔｅｒｆａｃｅ  （ＣＩ）；  Ｐａｒｔ  ７：  Ｓｅｃｕｒｉｔｙ  ｆｅａｔｕｒｅｓ」
【非特許文献５】ＥＴＳＩ  ＥＮ  ３００  ４４４：  「Ｄｉｇｉｔａｌ  Ｅｎｈａｎｃｅｄ  Ｃｏｒｄｌｅｓｓ  Ｔｅｌｅｃｏｍｍｕｎｉｃａｔｉｏｎｓ  （ＤＥＣＴ）；  Ｇｅｎｅｒｉｃ  Ａｃｃｅｓｓ  Ｐｒｏｆｉｌｅ  （ＧＡＰ）」．
【発明の概要】
【発明が解決しようとする課題】
【０００４】
しかしながら、通話中に暗号通信の鍵を変更する場合、通信エラーによって暗号通信の鍵を変更するためのメッセージを載せた送信信号が相手に正しく届かなかった場合、相手からの送信信号を受信エラーすることなく正常に受信できている状態であっても、暗号変更のタイミングがずれ、音声データの暗号化と復号が正しく行われないためノイズが発生する、という課題がある。
【０００５】
本発明の目的は、通話中に暗号通信の鍵を変更する場合のノイズの発生する頻度を低減することである。
【課題を解決するための手段】
【０００６】
本発明の一態様に係る無線通信装置は、共通鍵を用いて暗号通信を行う制御局と従属局で構成され、予め決められた手順で通話状態で共通鍵を変更する無線通信装置であって、制御局は、従属局との通話状態の通信品質を監視し、通信品質が予めきめられ状態より劣化していた場合、共通鍵を変更する予め決められた手順を起動しないように動作する制御部を有する構成を採る。
【発明の効果】
【０００７】
本発明によれば、通信品質を監視し、通信品質が予めきめられ状態より劣化していた場合、共通鍵を変更しないようにするため、通信エラーによって暗号通信の鍵を変更するためのメッセージの通信エラーの発生頻度を低減でき、暗号変更のタイミングのずれによるノイズの発生を低減できる。
【図面の簡単な説明】
【０００８】
【図１】本発明の実施の形態１に係る無線通信装置を用いたコードレス電話の一例を示す図
【図２】本発明の実施の形態１に係る親機の構成の一例を示すブロック図
【図３】本発明の実施の形態１に係る子機の構成の一例を示すブロック図
【図４】本発明の実施の形態１に係る通話開始から通話中の親機と子機間の無線通信で送受信される信号と動作の一例を示す図
【図５】本発明の実施の形態１に係る通話中に通信品質の判定を行い暗号通信の鍵を変更する際の無線通信で送受信される信号と動作の一例を示す図
【図６】本発明の実施の形態１に係る通話中の親機の動作の一例を示すフローチャート
【発明を実施するための形態】
【０００９】
以下、本発明の実施の形態について説明する。
【００１０】
（実施の形態１）
［コードレス電話の構成］
実施の形態１に係る無線通信装置の構成例について説明する。図１は、本実施の形態に係る無線通信装置を用いたコードレス電話の一例を示す図である。
【００１１】
図１に示す本発明の無線通信装置を用いたコードレス電話は、親機１、子機２，３で構成される場合の例を示したのである。親機１は、電話回線に接続される。親機１と子機２，３は、例えば、ＤＥＣＴ方式の無線通信によって通信が可能であり、子機２，３は親機１を介して外線通話や内線通話を行うことが可能である。
【００１２】
［親機１の構成］
親機１の構成例について説明する。図２は、親機１の構成例を示すブロック図である。
【００１３】
図２において、親機１は、無線通信部１０、無線品質検知部１１、音声処理部１２、報知部１３、操作部１４、表示部１５、情報記憶部１６、タイマ部１８、および制御部１９を有する。
【００１４】
無線通信部１０は、所定の方式で、無線リンクの確立や外線通話のための制御データや音声データの送受信を行うと共に、暗号通信の場合、送信データの暗号化と受信データの復号を行う。なお、本明細書において「無線通信」とは、無線送信および無線受信を含むものとする。
【００１５】
無線品質検知部１１は、無線通信部１０で受信した受信信号のレベル、受信エラーの発生頻度より受信信号の品質が良好であるかを判定する。
【００１６】
音声処理部１２は、電話回線やマイク（図示せず）から入力された音声信号をデジタル信号に変換し、送信用の音声データを生成すると共に、受信した音声データをアナログ信号に変換し電話回線やスピーカ（図示せず）に出力する。又、受信エラー時、及び、暗号鍵の変更時のシーケンスエラー検出時に、音声の出力を抑圧し、ノイズ発生を低減させる。
【００１７】
報知部１３は、外線からの着信や子機２、子機３からの内線呼び出しを受け、報知音を出力する。報知音は、例えば、リンガー音が挙げられる。
【００１８】
操作部１４は、ユーザの操作を受け付けるためのボタンである。ユーザの操作は、例えば、電話をかける操作（発信操作）、電話をうける操作（着信操作）、子機の登録を行う操作（子機登録操作）などが挙げられる。
【００１９】
表示部１５は、ユーザに対して情報を表示する。情報は、例えば、電話番号、登録情報、子機２の操作メニューなどが挙げられる。
【００２０】
情報記憶部１６は、親機１の識別符号（以下親機ＩＤと記す）と親機１に登録された子機の情報を記憶する。情報記憶部１６は、ＥＥＰＲＯＭ等の不揮発性メモリで構成される。情報記憶部１６に記憶される子機の情報は、登録された子機を識別し認証するための子機の識別符号（以下子機ＩＤと記す）と認証鍵、及び、暗号通信に使用する暗号鍵である。
【００２１】
タイマ部１８は、暗号鍵の変更間隔、そのリトライ間隔等の時間を計測する。
【００２２】
制御部１９は、上記各部と連携することで、親機１全体の動作を制御する。制御部１９による制御については、後述する。なお、親機１は、例えば、ＣＰＵ（Ｃｅｎｔｒａｌ  Ｐｒｏｃｅｓｓｉｎｇ  Ｕｎｉｔ）、制御プログラムを格納したＲＯＭ（Ｒｅａｄ  Ｏｎｌｙ  Ｍｅｍｏｒｙ）などの記憶媒体、およびＲＡＭ（Ｒａｎｄｏｍ  Ａｃｃｅｓｓ  Ｍｅｍｏｒｙ）などの作業用メモリを有する。この場合、制御部１９の機能は、ＣＰＵが制御プログラムを実行することにより実現される。
【００２３】
なお、親機１が備える機能部は、図２に示す１１〜１９に限定されるものではなく、その他の機能部を備えてもよい。その他の機能部は、親機１の主要機能を実現するためのものであってもよいし、主要機能を補助する補助機能を実現するためのものであってもよい。
【００２４】
［子機２，３の構成］
子機２，３の構成例について説明する。図３は、子機２，３の構成例を示すブロック図である。
【００２５】
図３において、子機２，３は、無線通信部２０、音声処理部２２、報知部２３、操作部２４、表示部２５、情報記憶部２６、および制御部２７を有する。なお、以下では、子機２を例として説明する。
【００２６】
無線通信部２０は、所定の方式で、無線リンクの確立や外線通話のための制御データや音声データの送受信を行うと共に、暗号通信の場合、送信データの暗号化と受信データの復号を行う。
【００２７】
音声処理部２２は、マイク（図示せず）から入力された音声信号をデジタル信号に変換し、送信用の音声データを生成すると共に、受信した音声データをアナログ信号に変換しスピーカ（図示せず）に出力する。又、受信エラー時、及び、暗号鍵の変更時のシーケンスエラー検出時に、受信音声の出力を抑制し、ノイズ発生を抑圧する。
【００２８】
報知部２３は、外線からの着信や親機１、子機３からの内線呼び出しを受け、報知音を出力する。報知音は、例えば、リンガー音が挙げられる。
【００２９】
操作部２４は、ユーザの操作を受け付けるためのボタンである。ユーザの操作は、例えば、電話をかける操作（発信操作）、電話をうける操作（着信操作）、子機の登録を行う操作（子機登録操作）などが挙げられる。
【００３０】
表示部２５は、ユーザに対して情報を表示する。情報は、例えば、電話番号、子機２の操作メニューなどが挙げられる。
【００３１】
情報記憶部２６は、子機２の子機ＩＤ、登録した親機、すなわち親機１の親機ＩＤ、認証鍵、及び、暗号通信に使用する暗号鍵を記憶する。情報記憶部２６は、ＥＥＰＲＯＭ等の不揮発性メモリで構成される。
【００３２】
制御部２７は、上記各部と連携することで、子機２全体の動作を制御する。制御部２７による制御については、後述する。なお、子機２は、例えば、ＣＰＵ、制御プログラムを格納したＲＯＭなどの記憶媒体、およびＲＡＭなどの作業用メモリを有する。この場合、制御部２７の機能は、ＣＰＵが制御プログラムを実行することにより実現される。
【００３３】
なお、子機２が備える機能部は、図３に示す２１〜２７に限定されるものではなく、その他の機能部を備えてもよい。その他の機能部は、子機２の主要機能を実現するためのものであってもよいし、主要機能を補助する補助機能を実現するためのものであってもよい。
【００３４】
［親機１及び子機２の動作］
以下、上述した本発明の無線通信装置を用いたコードレス電話の動作例について説明する。
【００３５】
図４は、通話開始から通話中の親機と子機間の無線通信で送受信される信号と動作の一例を示す図である。図４において、通話起動フェーズとは、親機１と子機２の無線リンクを確立し、接続先の電話番号情報等を通知し、通話先の相手との通信路を確立するためのフェーズである。通話起動フェーズが完了すると、親機１の音声処理部１２に接続された電話回線と子機２の音声処理部２２に接続されたマイク、スピーカー（図示せず）が無線通信を介して接続され、通信中状態となる。そして、通信相手が、応答すると、通信相手との通話が可能な状態となる。又、暗号鍵変更フェーズとは、通信中に暗号鍵を再発行し暗号鍵を変更するフェーズである。
【００３６】
まず最初に通話起動フェーズの詳細について説明する。子機２の操作部２４で相手電話番番号を指定し発信を要求する操作がなされると、制御部２７は、発信動作を開始し、通信起動フェーズが始まる。通話起動フェーズでは、子機２より無線リンク確立要求（例えば、ＤＥＣＴ方式の無線通信の場合、ＭＡＣレイヤの制御用メッセージのａｃｃｅｓｓ＿ｒｅｑｕｅｓｔ）が送信され、親機１が無線リンク確立確認（例えば、ＤＥＣＴ方式の無線通信の場合、ＭＡＣレイヤの制御用メッセージのｂｅａｒｅｒ＿ｃｏｎｆｉｒｍ）を返すことにより、親子機間の無線リンクが確立される。
【００３７】
続いて子機は、子機を識別するための子機ＩＤ、通信相手先の電話番号情報等を含んだ通話要求（例えば、ＤＥＣＴ方式の無線通信の場合、ＮＷＫレイヤの制御用メッセージのＣＣ−ＳＥＴＵＰ）を送信する。
【００３８】
通話要求を受信した親機１は、暗号鍵生成認証要求（例えば、ＤＥＣＴ方式の無線通信の場合、ＮＷＫレイヤのメッセージの｛ＡＵＴＨＥＮＴＩＣＡＴＩＯＮ−ＲＥＱＵＥＳＴ｝）のメッセージを送信し、子機２は、暗号鍵生成認証応答（例えば、ＤＥＣＴ方式の無線通信の場合、ＮＷＫレイヤのメッセージの｛ＡＵＴＨＥＮＴＩＣＡＴＩＯＮ−ＲＥＰＬＹ｝）を送信する。暗号鍵生成認証要求では、親機１が生成した乱数（例えば、ＤＥＣＴ方式の無線通信の場合、ＲＳ、ＲＡＮＤ）を送信し、暗号鍵生成認証応答では、子機で生成した認証応答値（例えば、ＤＥＣＴ方式の無線通信の場合、ＲＥＳ）が送信される。この暗号鍵生成認証要求と暗号鍵生成認証応答の送受信によって、親機１は通信相手の子機が自分に登録されている子機２かどうかの認証を行い、同時に、親機１と子機２の双方で暗号通信用の暗号鍵ＣＫ１を生成する。この認証と暗号鍵の生成は、暗号鍵生成認証要求で送受信される乱数と暗号鍵生成認証応答で送受信される認証応答値と、親機１の情報記憶部１６と子機２の情報記憶部２６に記憶された認証鍵を使用して予め決められた演算（以下認証暗号鍵生成演算と記す）を行うことにより実行される。即ち、暗号鍵生成認証要求で送受信される乱数と親子機それぞれが予め記憶していた同じ値の認証鍵を入力として親子機それぞれで認証暗号鍵生成演算を実施し、認証応答の値と暗号鍵を計算する。子機２は、求めた認証応答の値のみを暗号鍵生成認証応答で送信する。親機１は、受信した暗号鍵生成認証応答の認証応答の値と自らが計算して求めた認証応答の値を比較し同じであれば、図４に示すよう通信を継続し暗号通信の起動を開始し、異なる場合は、通信を切断する（図示せず）。
【００３９】
認証が終了し、暗号鍵ＣＫ１の生成が完了すると、暗号通信の起動が開始される。親機１からの暗号要求（例えば、ＤＥＣＴ方式の無線通信の場合、ＮＷＫレイヤのメッセージの｛ＣＩＰＨＥＲ−ＲＥＱＵＥＳＴ｝）、子機２からの暗号開始要求（例えば、ＤＥＣＴ方式の無線通信の場合、ＭＡＣレイヤの制御用メッセージのｓｔａｒｔ  ｅｎｃｒｙｐｔｉｏｎ：ｒｅｑｅｓｔ）、親機からの暗号開始確認（例えば、ＤＥＣＴ方式の無線通信の場合、ＭＡＣレイヤの制御用メッセージのｓｔａｒｔ  ｅｎｃｒｙｐｔｉｏｎ：ｃｏｎｆｉｒｍ）、子機２からの暗号開始承認（例えば、ＤＥＣＴ方式の無線通信の場合、ＭＡＣレイヤの制御用メッセージのｓｔａｒｔ  ｅｎｃｒｙｐｔｉｏｎ：ｇｒａｎｔ）が順に送受信され暗号通信の起動が完了する。尚、子機２側では、暗号開始要求を送信し、次のフレームより受信信号の復号処理を開始し、暗号開始確認を受信すると送信信号の暗号化を開始する。又、親機１では、暗号開始要求を受信すると送信信号の暗号化を開始し、暗号開始確認を送信した次のフレームの受信より受信信号の復号処理を開始する。そして、親機１は、タイマ部１８の暗号鍵変更フェーズの起動のための時間を計測する暗号鍵変更タイマＴ１を起動する。
【００４０】
暗号通信の起動が完了すると、親機１は、接続通知（例えば、ＤＥＣＴ方式の無線通信の場合、ＮＷＫレイヤのメッセージの｛ＣＣ−ＣＯＮＮＥＣＴ｝）を送信し、電話回線から入力された信号を子機２に送信し、子機２より受信した信号を電話回線に出力する。また、子機２は、接続通知を受信すると親機１から受信した信号をスピーカーに出力し、マイクから入力された信号を親機１に送信する動作を開始し、通話中の状態に移行する。尚、通話中、親機１の無線品質検知部１１は、無線通信部１０で受信された子機２からの信号の受信レベルと受信エラーの発生状態を監視し、受信レベルが予め決められた閾値を超え、且つ、受信エラーの発生頻度が予め決められた閾値を下回っているかの判定を行う。
【００４１】
次に、暗号鍵変更フェーズの詳細について説明する。親機１のタイマ部１８の暗号鍵変更タイマＴ１が満了すると暗号鍵変更フェーズが開始される。親機１のタイマ部１８の暗号鍵変更タイマＴ１が満了すると、無線品質検知部１１の判定結果を元に、暗号鍵の変更を行うか否かの判定を行う。判定時に、直近の受信レベルが予め決められた閾値を超え、且つ、受信エラーの発生頻度が予め決められた閾値を下回っていた場合、暗号鍵の変更のメッセージの送受信が開始される。
【００４２】
暗号鍵の変更は、通話起動フェーズの暗号鍵生成の場合と同様に暗号鍵生成認証要求と暗号鍵生成認証応答を送受信することにより行われる。親機１は、暗号鍵生成認証要求にて新たに生成した乱数を子機に送信する。そして、親機と子機２は、この乱数と親機１の情報記憶部１６と子機２の情報記憶部２６に記憶された認証鍵を使用して予め決められた演算（以下認証暗号鍵生成演算と記す）を行うことにより新たな暗号鍵ＣＫ２を生成する。
【００４３】
新たな暗号鍵ＣＫ２の生成が完了すると、暗号通信を一旦停止し、新たな暗号鍵に変更し暗号通信を再開するための制御が開始される。
【００４４】
通話起動フェーズの暗号通信起動時と同様に、先ず、親機１から暗号要求を送信する。
【００４５】
暗号要求を受信すると子機２は、暗号通信を一旦停止するために暗号停止要求（例えば、ＤＥＣＴ方式の無線通信の場合、ＭＡＣレイヤの制御用メッセージのｓｔｏｐ  ｅｎｃｒｙｐｔｉｏｎ：ｒｅｑｅｓｔ）を送信し、次のフレームから受信の復号化を停止し、平文受信状態（暗号がかかっていない信号の受信状態）に移行する。
【００４６】
親機１は、暗号停止要求を受信すると次のフレームから受信の復号化を停止すると共に送信の暗号化を停止し平文送受信状態（暗号がかかっていない信号の送受信状態）に移行する。そして、親機１は、暗号停止確認（例えば、ＤＥＣＴ方式の無線通信の場合、ＭＡＣレイヤの制御用メッセージのｓｔｏｐ  ｅｎｃｒｙｐｔｉｏｎ：ｃｏｎｆｉｒｍ）を送信する。
【００４７】
子機２は、暗号停止確認を受信すると、送信の暗号化を停止し平文送受信状態（暗号がかかっていない信号の送受信状態）に移行する。
【００４８】
暗号通信の停止が完了すると、通話起動フェーズの暗号通信起動時と同様に、子機２からの暗号開始要求（例えば、ＤＥＣＴ方式の無線通信の場合、ＭＡＣレイヤの制御用メッセージのｓｔａｒｔ  ｅｎｃｒｙｐｔｉｏｎ：ｒｅｑｅｓｔ）、親機からの暗号開始確認（例えば、ＤＥＣＴ方式の無線通信の場合、ＭＡＣレイヤの制御用メッセージのｓｔａｒｔ  ｅｎｃｒｙｐｔｉｏｎ：ｃｏｎｆｉｒｍ）、子機２からの暗号開始承認（例えば、ＤＥＣＴ方式の無線通信の場合、ＭＡＣレイヤの制御用メッセージのｓｔａｒｔ  ｅｎｃｒｙｐｔｉｏｎ：ｇｒａｎｔ）が順に送受信され暗号通信の起動が完了し、新たな暗号鍵ＣＫ２を使用しての暗号通信が開始される。
【００４９】
そして、親機１は、タイマ部１８の暗号鍵変更フェーズの起動のための時間を計測する暗号鍵変更タイマＴ１を起動し、親機１と子機２は、通話中の状態に戻る。
【００５０】
以降、親機１は、暗号鍵変更タイマＴ１が満了するごとに無線暗号鍵変更フェーズを起動し、無線品質検知部１１の判定結果を元に、暗号鍵の変更を行うか否かの判定を行い、判定結果に基づいて暗号鍵の変更を実施する。
【００５１】
次に、無線暗号鍵変更フェーズにて、暗号鍵の変更が行われない場合の動作について図５を用いて説明を行う。図５は、通話中に通信品質の判定を行い暗号通信の鍵を変更する際の無線通信で送受信される信号と動作の一例を示す図であり、最初の暗号鍵変更フェーズで通信品質がＮＧとなり、次の暗号鍵変更フェーズで通信品質がＯＫとなった場合の動作例について記述している。
【００５２】
図５に示すように、通話中に親機１のタイマ部１８の暗号鍵変更タイマＴ１が満了すると暗号鍵変更フェーズが開始される。親機１のタイマ部１８の暗号鍵変更タイマＴ１が満了すると、無線品質検知部１１の判定結果を元に、暗号鍵の変更を行うか否かの判定を行う。判定時に、直近の受信レベルが予め決められた閾値を超えていない場合、又は、受信エラーの発生頻度が予め決められた閾値を下回っていない場合、通信品質の判定がＮＧとなり、暗号鍵を変更することなく、親機１のタイマ部１８の暗号鍵変更タイマＴ１を再起動し、暗号鍵変更フェーズを終了し、通話中の状態に遷移する。
【００５３】
そして、又、通話中に親機１のタイマ部１８の暗号鍵変更タイマＴ１が満了すると暗号鍵変更フェーズが開始される。図５では、２度目の暗号鍵変更フェーズでは、通信品質がＯＫと判定され、暗号鍵が切り替えられる例を示している。尚、図５の通信品質がＯＫと判定され、暗号鍵が切り替えられる動作は、上述の図４の暗号鍵変更フェーズの動作と同様であり、説明を省略する。
【００５４】
次に、無線暗号鍵変更の親機１の動作を図６を用いて説明を行う。図６は、通話中の親機の動作の一例を示すフローチャートである。
【００５５】
親機１は、子機２との通話中に移行すると通話起動時に暗号起動タイマが起動され（図示せず）、Ｓｔｅｐ：１０１の暗号鍵変更タイマの満了を待つ状態になる。暗号鍵変更タイマが満了していない場合（Ｓｔｅｐ：１０１、Ｎｏ）、Ｓｔｅｐ：１０１の暗号鍵変更タイマの満了を待つ状態を維持する。
【００５６】
暗号鍵変更タイマが満了すると（Ｓｔｅｐ：１０１、Ｙｅｓ）、受信レベルが閾値を超えているかの判定を行う（Ｓｔｅｐ：１０２）。
【００５７】
受信レベルが閾値を超えていると（Ｓｔｅｐ：１０２、Ｙｅｓ）、受信エラーの発生頻度が閾値より低いかの判定を行う（Ｓｔｅｐ：１０３）。
【００５８】
受信エラーの発生頻度が閾値より低い場合（Ｓｔｅｐ：１０３、Ｙｅｓ）、暗号鍵の変更を行う（Ｓｔｅｐ：１０４）。そして、暗号鍵変更タイマを起動し（Ｓｔｅｐ：１０５）、Ｓｔｅｐ：１０１の暗号鍵変更タイマの満了を待つ状態に遷移する。
【００５９】
尚、Ｓｔｅｐ：１０２において受信レベルが閾値を超えていなかった場合（Ｓｔｅｐ：１０２、Ｎｏ）、及び、Ｓｔｅｐ：１０３において受信エラーの発生頻度が閾値より高い場合（Ｓｔｅｐ：１０３、Ｎｏ）は、暗号鍵の変更を行わずに暗号鍵変更タイマを起動し（Ｓｔｅｐ：１０５）、Ｓｔｅｐ：１０１の暗号鍵変更タイマの満了を待つ状態に遷移する。
【００６０】
以上、本発明の実施の形態について説明した。上記のように、本発明の無線通信装置は、暗号鍵の変更を行う場合、無線の通信品質を評価し、通信品質が良好な場合にのみ暗号鍵の変更をおこなうようにしたので、暗号鍵の変更のメッセージの送受信時に受信エラーが発生する頻度を低減できる。また、暗号鍵の変更のメッセージの送受信時に受信エラーによって発生する暗号鍵の停止や切り替えタイミングのずれによるノイズの発生やそのノイズを抑制するためのミュート処理の発生を低減でき、通話品質の劣化を低減しながら通話中の暗号鍵の切り替えを実現できるという効果を有する。
【００６１】
又、ＤＥＣＴ方式では、通話中に暗号鍵を切り替えるＲｅ−ｋｅｙｉｎｇ  ｄｕｒｉｎｇ  ａ  ｃａｌｌにおいて暗号鍵の変更のために送受信されるメッセージのそれぞれは、再送可能な回数が規定されており、所定の再送回数までにメッセージの送受信が完了しない場合は、通話を切断するように規定されている。即ち、ＤＥＣＴ方式で無線通信を行う無線機器は無線品質が悪い状態で、暗号鍵の変更を起動した場合、連続して受信エラーが発生すると通話切断となってしまい利便性をそこねる結果となってしまう。ＤＥＣＴ方式で無線通信機器に本発明を適用した場合、通話中に暗号鍵を切り替えるＲｅ−ｋｅｙｉｎｇ  ｄｕｒｉｎｇ  ａ  ｃａｌｌの制御を行っても、暗号鍵を切り替え時の無線品質劣化による通話切断の発生を低減できる効果を有する。
【００６２】
又、本発明の実施の形態において、受信レベルの判定の閾値、及び、受信エラーの頻度の判定の閾値は、情報記憶部１６に記憶するようにし、操作部１４からの操作で変更可能となるようにしても良い。この場合、閾値を変更可能とすることにより、秘匿性を重視する通信を行う場合は、無線品質の状態に依存せず、定期的に暗号鍵を変更しながら通信を行うことが可能となり、利便性を向上できる効果を有する。
【産業上の利用可能性】
【００６３】
本発明に係る無線通信装置は、コードレス電話等の無線通信装置として有用である。
【符号の説明】
【００６４】
１  親機
２  子機
３  子機
１０、２０  無線通信部
１１  無線品質検知部
１２、２２  音声処理部
１３、２３  報知部
１４、２４  操作部
１５、２５  表示部
１６、２６  情報記憶部
１８  タイマ部
１９、２７  制御部
【図１】
2015198375.tif 000003
【図２】
2015198375.tif 000004
【図３】
2015198375.tif 000005
【図４】
2015198375.tif 000006
【図５】
2015198375.tif 000007
【図６】
2015198375.tif 000008